【事件の表示】
　特許第３０３７２０３号「携帯電話装置」の請求項１に係る特許に対する特許異議の申立てについて、次のとおり決定する。
【結　論】
　訂正を認める。
　特許第３０３７２０３号の請求項１に係る特許を維持する。
【理　由】
１．手続の経緯
　本件特許第３０３７２０３号発明は、埼玉日本電気株式会社より、平成９年５月２６日に特許出願され、平成１２年２月２５日にその特許権の設定登録がなされ、その後、児玉喜博より請求項１（全請求項）について特許異議の申立てがなされ、平成１３年２月５日付で取消理由通知がなされ、その指定期間である平成１３年４月１７日に訂正請求がなされたものである。
　
２．訂正の適否
（１）訂正請求の内容
　特許権者が求めている本件訂正請求の内容は、
（ａ）請求項１の記載である
　「基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、前記メモリに記憶されている発信履歴または着信履歴から最新のダイアルデータを読み出し、切断前に通話中だった相手方に自動的に発信し、一方前記メモリの着信履歴中にダイアルデータが存在しなかったとき、前記メモリに記憶されているメッセージ出力用データに基づいて、発信するための電話番号がない旨のメッセージを音声出力することを特徴とする携帯電話装置。」を、特許請求の範囲の減縮を目的として、
　「基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記憶されている着信履歴から最新のダイアルデータを読み出し、切断前に通話中だった相手方に自動的に発信し、一方前記メモリの着信履歴中にダイアルデータが存在しなかったとき、前記メモリに記億されているメッセージ出力用データに基づいて、発信するための電話番号がない旨のメッセージを音声出力することを特徴とする携帯電話装置。」と訂正する。
　
（ｂ）明細書の段落【０００８】の記載である
　「［課題を解決するための手段］上記した目的を達成するために、本発明による携帯電話装置は、基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、前記メモリに記憶されている発信履歴または着信履歴から最新のダイアルデータを読み出し、切断前に通話中だった相手方に自動的に発信し、一方前記メモリの着信履歴中にダイアルデータが存在しなかったとき、前記メモリに記億されているメッセージ出力用データに基づいて、発信するための電話番号がない旨のメッセージを音声出力することを特徴とする。」を、明瞭でない記載の釈明を目的として、
　「［課題を解決するための手段］上記した目的を達成するために、本発明による携帯電話装置は、基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記億されている着信履歴から最新のダイアルデータを読み出し、切断前に通話中だった相手方に自動的に発信し、一方前記メモリの着信履歴中にダイアルデータが存在しなかったとき、前記メモリに記憶されているメッセージ出力用データに基づいて、発信するための電話番号がない旨のメッセージを音声出力することを特徴とする。」と訂正する。
　
（ｃ）明細書の段落【００２０】の記載である
　「［発明の効果］以上述べたように、本発明による携帯電話装置は異常終了による通話切断時にあらためて受信電波の電界レベルを確認し、通話可能な電界レベルであれば、自動的にリダイアルデータを読み出し切断した通話の相手方に自動的に発信するようにしたので、あらためて通話切断前に通話中だった相手方に発信するために操作が不要となる。そのため、特に通話しながら走行中や作業中の場合に手が煩わされることがなく、携帯電話装置における操作性の向上とともに使用中の安全性が向上する。」を、明瞭でない記載の釈明を目的として、
　「［発明の効果］以上述べたように、本発明による携帯電話装置は異常終了による通話切断時にあらためて受信電波の電界レベルを確認し、通話可能な電界レベルであれば、切断前の通話が発信により開始したと判定した場合はメモリに記憶されている発信履歴から最新のリダイアルデータを自動的に読み出しまた切断前の通話が着信により開始したと判定した場合にはメモリに記憶されている着信履歴から最新のリダイアルデータを自動的に読み出し切断した通話の相手方に自動的に発信するようにしたので、あらためて通話切断前に通話中だった相手方に発信するために操作が不要となる。そのため、特に通話しながら走行中や作業中の場合に手が煩わされることがなく、携帯電話装置における操作性の向上とともに使用中の安全性が向上する。」と訂正するものである。
　
（２）訂正の目的の適否、新規事項の有無、及び拡張・変更の存否についての判断
　訂正請求（ａ）は、請求項１に記載された「前記通話断判定回路において通話が異常終了と判定したとき、前記電界検出回路により検出した電界レベルが通話可能な電界レベルであれば、前記メモリに記憶されている発信履歴または着信履歴から最新のダイアルデータを読み出し、切断前に通話中だった相手方に自動的に発信し、」に、更に「切断前の通話が発信により開始したと判定した場合には前記メモリに記憶されている発信履歴から最新のダイアルデータを読み出しまた切断前の通話が着信により開始したと判定した場合には前記メモリに記憶されている着信履歴から最新のダイアルデータを読み出し、切断前に通話中だった相手方に自動的に発信」することを限定するものである。したがって、この訂正は、特許請求の範囲の減縮を目的とするものであって、しかもその記載事項は、出願当初の明細書の図２及び段落【００１９】の記載から明らかなように、訂正前の明細書に記載されているものであるので、この訂正は、新規事項の追加には該当せず、また、実質上特許請求の範囲を拡張し、又は変更するものでもない。
　
　訂正請求（ｂ）及び（ｃ）は、上記訂正請求（ａ）にともない、特許請求の範囲の記載と発明の詳細な説明の記載との整合を図るために、それぞれ、段落【０００８】及び【００２０】の記載を、上記訂正請求（ｂ）及び（ｃ）のように訂正するものであって、明瞭でない記載の釈明を目的とするものに該当し、しかもその訂正は、願書に最初に添付した明細書又は図面に記載した事項の範囲内の訂正であって、新規事項の追加には該当しない。
　
（３）むすび
　以上のとおりであるので、上記訂正請求は、特許法第１２０条の４第２項及び第３項の規定に適合するので、上記訂正請求を認める。
　
３．取消理由通知・特許異議の申立についての判断
（１）訂正明細書の請求項１に係る発明
　訂正明細書の請求項１に係る発明は、その特許請求の範囲の請求項１に記載されたとおりの
　「基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、
前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記憶されている着信履歴から最新のダイアルデータを読み出し、切断前に通話中だった相手方に自動的に発信し、
一方前記メモリの着信履歴中にダイアルデータが存在しなかったとき、前記メモリに記億されているメッセージ出力用データに基づいて、発信するための電話番号がない旨のメッセージを音声出力することを特徴とする携帯電話装置。」
により特定されるものである。
　
（２）取消理由通知の内容
　当審が平成１３年２月５日付けで通知した取消理由通知の概要は、
　先願発明として、
先願：特願平９−１４８４４１号（特開平１０−３２７４６２号公報参照）（平成９年５月２３日特許出願）
を引用して、本件請求項１に係る発明は、その出願の日前の特許出願であって、その出願後に出願公開がされた上記先願に係る特許出願の願書に最初に添付された明細書又は図面に記載された発明（以下、「先願発明」と言う。）と同一であり、しかも、この出願の発明者がその出願前の特許出願に係る上記の発明をした者と同一ではなく、またこの出願の時において、その出願人が上記特許出願の出願人と同一でもないので、本件請求項１に係る発明の特許は、特許法第２９条の２の規定に違反してされたものである、と言うものである。
　
（３）当審の判断
　先願発明と、本件請求項１に係る発明とを対比すると、両者は共に、基地局から受信した電波の電界レベルを検出する電界検出回路と、通話が切断したときに通話が正常終了されたか異常終了されたかを判定する通話断判定回路と、情報を記憶するメモリとを有し、前記通話断判定回路において通話が異常終了と判定したとき、前記電界検出回路により検出した電界レベルが通話可能な電界レベルであれば、前記メモリに記憶されている最新のダイアルデータを読み出し、切断前に通話中だった相手方に自動的に発信し、一方着呼のときに前記メモリにダイアルデータが存在しなかったとき、発信するための電話番号がない旨の音響出力することを特徴とする携帯電話装置である点では同じである。
　ただ、（ア）上記先願明細書には、本件請求項１に係る発明の構成要件の一部である切断前の通話が発信により開始したのか着信により開始したのかを判定する発信／着信判定回路を有している点は記載されておらず、また、そのことを示唆する記載も存在しないし、また、（イ）上記先願明細書には、情報を記憶するメモリが回線切断時に今まで通話中であった相手先の電話番号を記憶することしか記載されておらず、本件請求項１に係る発明の構成要件の一部である、メッセージ出力用データと発信履歴と着信履歴とを含む情報を記憶している点は記載されておらず、また、そのことを示唆する記載も存在しない。
　そして、本件請求項１に係る発明は、上記構成を具備することによって、明細書記載の所期の効果が得られるものと認められる。
　したがって、本件請求項１に係る発明は、上記先願発明と同一であると認めることはできない。
　
（４）異議申立人の主張について
　異議申立人は、甲第１号証として、上記先願発明を提出して、上記先願発明と本件請求項１に係る発明とを対比すると、表現上の相違はあるが、両者は基本的な技術思想が一致しているといえる。本件発明においては、メモリの着信履歴中にダイアルデータが存在しなかったとき、メモリに記憶されているメッセージ出力用データに基づいて、発信するための電話番号がない旨の「メッセージを音声出力する」のに対し、先願発明においては、発信するための電話番号がない旨を『光、モータによる振動、音響』で報知している点で相違しているように見受けられるが、本件請求項１に係る発明も、先願発明も、ともに報知すべき内容は「着呼の際に相手側から電話番号の通知がなかったこと」であって両者は同じであり、「音声」であるか『音響』であるかという相違は構成上の微差に過ぎないものである、と主張している。
　しかしながら、「音声」は、「音響」の一部ではあるが、単なる「音響」で報知されたのと比べて、「音声」で報知された場合には、携帯電話装置のディスプレイ画面の表示で確認しなくても、どのような内容が報知されたのかを容易に知ることが可能であり、本件請求項１に係る発明は、使用中の安全性が向上するという、先願発明にはない、格別の効果を有しているものと認められるので、該相違点は、構成上の微差に過ぎないものと言うことはできない。
　したがって、異議申立人の係る主張には根拠がなく、採用することはできない。
　
４．まとめ
　以上のとおりであるので、本件特許異議申立ての理由および証拠によっては、本件訂正明細書の請求項１に係る発明の特許を取り消すことはできない。
　また、ほかに本件訂正明細書の請求項１に係る発明の特許を取り消すべき理由を発見しない。
　よって、結論のとおり決定する。
【異議決定日】
平成１３年６月１２日（２００１．６．１２）
【訂正の要旨】
（１）訂正事項ａ
　請求項１の記載である
　「基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、前記メモリに記憶されている発信履歴または着信履歴から最新のダイアルデータを読み出し、切断前に通話中だった相手方に自動的に発信し、一方前記メモリの着信履歴中にダイアルデータが存在しなかったとき、前記メモリに記憶されているメッセージ出力用データに基づいて、発信するための電話番号がない旨のメッセージを音声出力することを特徴とする携帯電話装置。」を、特許請求の範囲の減縮を目的として、
　「基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記憶されている着信履歴から最新のダイアルデータを読み出し、切断前に通話中だった相手方に自動的に発信し、一方前記メモリの着信履歴中にダイアルデータが存在しなかったとき、前記メモリに記億されているメッセージ出力用データに基づいて、発信するための電話番号がない旨のメッセージを音声出力することを特徴とする携帯電話装置。」と訂正する。
（２）訂正事項ｂ
　明細書の段落【０００８】の記載である
　「［課題を解決するための手段］上記した目的を達成するために、本発明による携帯電話装置は、基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、前記メモリに記憶されている発信履歴または着信履歴から最新のダイアルデータを読み出し、切断前に通話中だった相手方に自動的に発信し、一方前記メモリの着信履歴中にダイアルデータが存在しなかったとき、前記メモリに記億されているメッセージ出力用データに基づいて、発信するための電話番号がない旨のメッセージを音声出力することを特徴とする。」を、明瞭でない記載の釈明を目的として、
　「［課題を解決するための手段］上記した目的を達成するために、本発明による携帯電話装置は、基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記億されている着信履歴から最新のダイアルデータを読み出し、切断前に通話中だった相手方に自動的に発信し、一方前記メモリの着信履歴中にダイアルデータが存在しなかったとき、前記メモリに記憶されているメッセージ出力用データに基づいて、発信するための電話番号がない旨のメッセージを音声出力することを特徴とする。」と訂正する。
（３）訂正事項ｃ
　明細書の段落【００２０】の記載である
　「［発明の効果］以上述べたように、本発明による携帯電話装置は異常終了による通話切断時にあらためて受信電波の電界レベルを確認し、通話可能な電界レベルであれば、自動的にリダイアルデータを読み出し切断した通話の相手方に自動的に発信するようにしたので、あらためて通話切断前に通話中だった相手方に発信するために操作が不要となる。そのため、特に通話しながら走行中や作業中の場合に手が煩わされることがなく、携帯電話装置における操作性の向上とともに使用中の安全性が向上する。」を、明瞭でない記載の釈明を目的として、
　「［発明の効果］以上述べたように、本発明による携帯電話装置は異常終了による通話切断時にあらためて受信電波の電界レベルを確認し、通話可能な電界レベルであれば、切断前の通話が発信により開始したと判定した場合はメモリに記憶されている発信履歴から最新のリダイアルデータを自動的に読み出しまた切断前の通話が着信により開始したと判定した場合にはメモリに記憶されている着信履歴から最新のリダイアルデータを自動的に読み出し切断した通話の相手方に自動的に発信するようにしたので、あらためて通話切断前に通話中だった相手方に発信するために操作が不要となる。そのため、特に通話しながら走行中や作業中の場合に手が煩わされることがなく、携帯電話装置における操作性の向上とともに使用中の安全性が向上する。」と訂正する。
（５４）【発明の名称】
携帯電話装置
（５７）【特許請求の範囲】
　【請求項１】　基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、
前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記憶されている着信履歴から最新のダイアルデータを読み出し、切断前に通話中だった相手方に自動的に発信し、
一方前記メモリの着信履歴中にダイアルデータが存在しなかったとき、前記メモリに記憶されているメッセージ出力用データに基づいて、発信するための電話番号がない旨のメッセージを音声出力することを特徴とする携帯電話装置。
【発明の詳細な説明】
　【０００１】
　【発明の属する技術分野】本発明は携帯電話装置に関し、特に通話中に回線が切断されたときに状況に応じてそれまで通話中だった相手に発信を行うことのできる携帯電話装置に関する。
　【０００２】
　【従来の技術】携帯電話装置では使用者が移動しながら通話を行うのが一般的であるが、通話中に通話圏外へ出てしまったり、周囲の環境、天候、その他さまざまな要因により電波の受信感度が急激に劣化することがある。
携帯電話装置では、一定の通話品質を保っために基地局から受信する電波の電界強度を常時監視し、例えばＳ／Ｎ比が一定レベル以下となった場合には通話を強制的に切断し、携帯電話装置に通話圏外を示す表示を行って使用者にその旨を知らせるようになっている。
　【０００３】
　【発明が解決しようとする課題】しかしながら、このような通話切断状態になった場合でも、必ずしも場所的には常時通話不可能な電界レベルにはない場合もある。特に走行しながら携帯電話装置で通話中の場合には、さまざまな障害物により急激にまた一時的に電界強度が劣化し、通話可能な電界レベルであっても通話が切断されてしまうからである。急に通話切断状態になったとき、使用者はその段階では本当に通話圏外に移動したために通話が切断されたのか、それとも一時的に電界強度が劣化して通話が切断したのかわからない。そこで、あらためて携帯電話装置の表示等を確認し、通話可能な電界レベルであれば再度相手方に発信を行うことになる。
　【０００４】例えば、通話しながらの走行中や作業中にこのような通話切断になると、再度発信するにはあらためて表示を確認したりキー操作を行わねばならず、作業を中断する等煩わしいばかりでなく、気をとられたりして時には危険を伴うこともある。
　【０００５】携帯電話装置におけるこのような通話切断の問題に関連して、例えば特開平１−１９８１５１号公報は、コードレス電話装置において、通話中にＳ／Ｎ比が劣化しても親機と子機との無線回線を切断するだけで、有線回線と親機とのラインリレーはＯＮ状態に保持しておき、親機が保留状態となるだけで、Ｓ／Ｎ比が良好となれば、携帯電話機である子機の方から再度通話を再開できるようにした技術を開示している。しかしながら、これはコードレス電話装置では、子機が通話圏外に出たりしてＳ／Ｎ比が劣化しても通話可能な電波状態に復帰できる可能性が高いために適用できる技術である。
　【０００６】一方、セルラーシステムなどにおける移動通信においては電波状況は一般的に非常に不安定であるので、一時的に有線回線を保留にしてＳ／Ｎ比の復帰を待つのは現実的ではない。結局はＳ／Ｎ比の劣化を検出したら一旦通話切断を行うのが現実的である。
　【０００７】本発明はかかる問題点にかんがみてなされたものであり、その目的は、受信電波の電界強度が劣化したため通話が切断されたときに、状況に応じて自動的に再発信を行ったり通話圏外であることを使用者に知らせることができる携帯電話装置を提供することにある。
　【０００８】
　【課題を解決するための手段】上記した目的を達成するために、本発明による携帯電話装置は、基地局から受信した電波の電界レベルを検出する電界検出回路と、通話が切断したときに通話が正常終了されたか異常終了されたかを判定する通話断判定回路と、切断前の通話が発信により開始したのか着信により開始したのかを判定する発信／着信判定回路と、メッセージ出力用データと発信履歴と着信履歴とを含む情報を記憶するメモリとを有し、前記通話断判定回路において通話が異常終了と判定したとき、前記電界検出回路により検出した電界レベルが通話可能な電界レベルであれば、切断前の通話が発信により開始したと判定した場合には前記メモリに記憶されている発信履歴から最新のダイアルデータを読み出しまた切断前の通話が着信により開始したと判定した場合には前記メモリに記憶されている着信履歴から最新のダイアルデータを読み出し、切断前に通話中だった相手方に自動的に発信し、一方前記メモリの着信履歴中にダイアルデータが存在しなかったとき、前記メモリに記憶されているメッセージ出力用データに基づいて、発信するための電話番号がない旨のメッセージを音声出力することを特徴する。
　【０００９】これにより、一時的に電界レベルが劣化したため通話が切断された場合は、あらためて通話切断前に通話中だった相手方に発信するための操作が不要となり、携帯電話装置における操作性及び使用中の安全性が向上する。
　【００１０】また、上記した携帯電話装置において、前記メモリの着信履歴中にダイアルデータが存在しなかったとき、前記メモリに記憶されているメッセージ出力用データに基づいて、発信するための電話番号がない旨のメッセージを音声出力するようにすれば、表示画面等で確認しなくてもリダイアルされない理由がすぐに確認でき、携帯電話装置における操作性及び使用中の安全性が向上する。
　【００１１】さらに、上記した携帯電話装置において、前記通話断判定回路において通話が異常終了と判定したとき、前記電界検出回路において検出した電界レベルが通話可能な電界レベルにないと判断したときは、前記メモリに記憶されているメッセージ出力用データに基づいて、通話圏外にある旨のメッセージを音声出力するようにすれば、同様に表示画面等で確認しなくてもりダイアルされない理由がすぐに確認でき、携帯電話装置における操作性及び使用中の安全性が向上する。
　【００１２】
　【発明の実施の形態】以下、本発明による実施の形態について図面を参照して説明する。図１は本発明による携帯電話装置の一実施の形態の構成を示すブロック図である。
　【００１３】図１に示すように、本発明による携帯電話装置１は、送話器６から送信される音声信号や制御部８からの送信データを変調して基地局に送信するための送信回路２と、使用する無線チャネルを指示する周波数シンセサイザ３と、基地局からの電波を受信し復調する受信回路４と、受信回路４に内蔵され受信した電波の電界レベルを検出する電界検出回路５と、受信回路４で復調した音声を出力する受話器７と、出力用音声データや電話番号を含む発信履歴や着信履歴等を記憶するメモリ１３と、携帯電話装置１全体の動作を制御する制御部８とを有している。ここで、電界検出回路５において受信した電波の電界レベルを検出するには、例えばアナログ変調方式ではＳ／Ｎ比を、ディジタル変調方式ではビット誤り率を指標とする。
　【００１４】さらに、携帯電話装置１には使用者が電話番号等を入力したり操作等を行うための例えばキースイッチからなる操作部１６と、制御部８からの命令によりデータや入力内容等を表示する表示部１７とが設けられている。
　【００１５】また、制御部８の内部には、通話が切断したときに通話の切断が正常な終了によるものかあるいは受信電波の劣化による切断という異常な終了によるものかの判定を行う通話断判定回路９と通話切断発生までの通話状態が発信によるものか着信によるものかを判定する発信／着信判定回路１０が設けられている。ここで、通話断判定回路９で通話の切断が正常終了か異常終了かを判定するには、例えば操作部１６でオフフックを指示するキースイッチの押下により通話が切断した場合には正常終了と判定し、手順誤り及びリソース使用不可の信号を検出した場合には異常終了と判断する。
　【００１６】次に図１及び図２のフローチャートを参照して本実施の形態の動作について説明する。
　【００１７】携帯電話装置１が待ち受け状態（Ｓ１０１）から通話の状態（Ｓ１０４）に入るのには、発信による場合（Ｓ１０３）と着信による場合（Ｓ１０２）とがある。通話中に通話切断状態（Ｓ１０５）になると、まず通話断判定回路９が通話が正常に終了したか否かを判定し（Ｓ１０６）、正常終了と判断した場合にはステップＳ１０１の待ち受け状態に戻る。
　【００１８】ステップＳ１０６において、通話断判定回路９が正常終了ではないと判断した場合には、電界検出回路５において受信する電波の電界レベルを検出し（Ｓ１０７）、制御部８は検出された電界レベルを例えば一定の基準値に基づいて通話可能な電界レベルであるかどうか判断する（Ｓ１０８）。ステップＳ１０８において通話可能な電界レベルにないと判断したときは、制御部８はメモリ１３にあらかじめ記憶されているメッセージデータを呼び出し、受話器７から使用者に通話圏外であることを知らせる、例えば「圏外です」のようなメッセージを出力させる（Ｓ１０９）。そして、携帯電話装置１はステップＳ１０１の待ち受け状態に戻る。
　【００１９】一方、ステップＳ１０８において制御部８が通話可能な電界レベルにあると判断したときは、発信／着信判定回路１０において、通話切断になる前の通話が発信により開始されたものか、着信により開始されたものかが判定される（Ｓ１１０）。そして、発信によるものと判定されたときは制御部８はメモリ１３に記憶されている発信履歴中のリダイヤルデータの内一番新しいデータを読み出し（Ｓ１１５）、再発信動作を送信回路２に行わせる（Ｓ１１６）。一方、ステップＳ１１０において、通話が着信により開始されたと判定されたときは、制御部８はメモリ１３に記憶されている着信履歴データのうち一番新しいデータを読み出す（Ｓ１１１）。このとき着信履歴データに電話番号があるかないかを判定し（Ｓ１１２）、電話番号のデータがなかったときは、メモリ１３に記憶されているメッセージデータを呼び出し、発信するための電話番号がないことを伝えるための、例えば「電話番号がありません」のようなメッセージを受話器７から出力させる（Ｓ１１４）。ステップＳ１１２において着信履歴データに電話番号のデータがあったときは、送信回路２に発信動作を行わせる（Ｓ１１３）。
　【００２０】
　【発明の効果】以上述べたように、本発明による携帯電話装置は異常終了による通話切断時にあらためて受信電波の電界レベルを確認し、通話可能な電界レベルであれば、切断前の通話が発信により開始したと判定した場合はメモリに記憶されている発信履歴から最新のリダイアルデータを自動的に読み出しまた切断前の通話が着信により開始したと判定した場合にはメモリに記憶されている着信履歴から最新のリダイアルデータを自動的に読み出し切断した通話の相手方に自動的に発信するようにしたので、あらためて通話切断前に通話中だった相手方に発信をするための操作が不要となる。そのため、特に通話しながら走行中や作業中の場合に手が煩らわされることがなく、携帯電話装置における操作性の向上とともに使用中の安全性が向上する。
　【００２１】さらに、リダイアルのためのデータがなかったり、通話可能な電界レベルにない場合には、その旨を音声で出力するようにしたので、従来のようにいちいち表示画面等で確認する必要がなくなり、この点においても携帯電話装置における操作性および使用上の安全性が向上する。
【図面の簡単な説明】
　【図１】本発明による携帯電話装置の一実施の形態を示すブロック図である。
　【図２】本発明による携帯電話装置の動作を説明するフローチャートである。
　【符号の説明】
１　携帯電話装置
２　送信回路
３　周波数シンセサイザ
４　受信回路
５　電界検出回路
６　送話器
７　受話器
８　制御部
９　通話断判定回路
１０　発信／着信判定回路
１３　メモリ
１６　操作部
１７　表示部